(57)【要約】【課題】スロットゲーム中又は景品交換時における遊戯メダルを常時監視して不正行為を防止することができる、パチスロ用遊戯メダルの不正防止システムを得る。【解決手段】遊戯メダルの本体板の両面中央の凹部に、会社番号，店舗番号及び付加情報を含んだ複数ビットから成るＩＤ情報を有した円形バーコードによるホログラムを転写した遊戯メダルを使用し、パチスロ又はメダル計数機のメダル投入口に連通したメダル導入路の途中に設置したＩＤ読み取り装置により遊戯メダルのＩＤ情報を常時読み取り監視し、該パチスロ及びメダル計数機とＬＡＮ接続した端末サーバにより予め通知され登録されているＩＤ情報と比較検出を行い、当該パチスロ又はメダル計数機に未登録のＩＤ情報の遊戯メダルが検出された場合には偽造メダル又は他店の遊戯メダル使用による不正が行われたと判断してカウンターに通知するシステムとする。【選択図】        図１
2004222877.tif 000002
【特許請求の範囲】
【請求項１】
不正検出手段を有する遊戯メダルとして、遊戯メダルの本体板の両面中央の凹部に、会社番号，店舗番号及び付加情報を含んだ複数ビットから成るＩＤ情報を有した円形バーコードによるホログラムを転写した遊戯メダルを使用し、パチスロ又はメダル計数機のメダル投入口に連通したメダル導入路の途中に設置したＩＤ読み取り装置により遊戯メダルのＩＤ情報を常時読み取り監視し、該パチスロ及びメダル計数機とＬＡＮ接続した端末サーバにより予め通知され登録されているＩＤ情報と比較検出を行い、当該パチスロ又はメダル計数機に未登録のＩＤ情報の遊戯メダルが検出された場合には偽造メダル又は他店の遊戯メダル使用による不正が行われたと判断してカウンターに通知することにより不正防止を行うことができることを特徴とした、パチスロ用遊戯メダルの不正防止システム。
【請求項２】
端末サーバにＣＤ−ＲやＤＶＤ−Ｒ等のＷＯＲＭ型記録媒体によりスロットゲーム中又はメダル計数中のＩＤ信号情報を逐次記録するようにしたことを特徴とした、請求項１に記載のパチスロ用遊戯メダルの不正防止システム。
【請求項３】
付加価値を有したボーナスメダルが検出された場合には付加情報に基づき例えばスロットの絵柄が揃う確率を上昇させたり、景品交換時における換金率を上昇させる処理が行えることを特徴とした、請求項１に記載のパチスロ用遊戯メダルの不正防止システム。
【発明の詳細な説明】
【０００１】
【発明の属する技術分野】
本発明は、パチンコ遊技場等にあるパチスロにおいて、遊戯メダルを常時監視して偽造メダル又は他店の遊戯メダル使用による不正行為を防止することができる、パチスロ用遊戯メダルの不正防止システムに関するものである。
【０００２】
【従来の技術】
従来、パチンコ遊技場等にあるパチスロでスロットゲームを行う場合、店内にある自動販売機又はパチスロ自体にて遊戯メダルを購入し、該遊戯メダルによりスロットゲームを行っている。
【０００３】
該スロットゲーム中においてプレイヤーは予め隠し持った偽造メダル又は他店の遊戯メダルを本来の遊戯メダル中に混入して不正使用したり、景品交換時において偽造メダル又は他店の遊戯メダルを交換メダル中に混入する不正交換が行われることがあったが、巧妙な手口により不正を見つけ出すことは非常に困難であった。
【０００４】
【発明が解決しようとする課題】
これは、遊戯メダル自体の表面デザインは各店異なるものの、大きさや厚さ及び重さは他店と共通であり、パチスロ本体内において厳密なメダル識別機構を内蔵しないため、遊戯メダル又は偽造メダルの大きさや厚さ及び重さが一定基準を満たせば容易に使用できることと、巧妙な手口によりいつ混入されたかが分からないといったことによるものである。このため、スロットゲーム中又は景品交換時において不正メダルの使用を的確に判断できる不正防止システムは実現されていないのが現状である。
【０００５】
本発明は、上記のような課題を解決するために成されたものであり、スロットゲーム中又は景品交換時における遊戯メダルを常時監視して偽造メダル又は他店の遊戯メダル使用による不正行為を防止することができる、パチスロ用遊戯メダルの不正防止システムを提供することを目的とする。
【０００６】
【課題を解決するための手段】
上記課題を解決するため、本発明のパチスロ用遊戯メダルの不正防止システムにおいては、不正検出手段を有する遊戯メダルとして、遊戯メダルの本体板の両面中央の凹部に、会社番号，店舗番号及び付加情報を含んだ複数ビットから成るＩＤ情報を有した円形バーコードによるホログラムを転写した遊戯メダルを使用し、パチスロ又はメダル計数機のメダル投入口に連通したメダル導入路の途中に設置したＩＤ読み取り装置により遊戯メダルのＩＤ情報を常時読み取り監視し、該パチスロ及びメダル計数機とＬＡＮ接続した端末サーバにより予め通知され登録されているＩＤ情報と比較検出を行い、当該パチスロ又はメダル計数機に未登録のＩＤ情報の遊戯メダルが検出された場合には偽造メダル又は他店の遊戯メダル使用による不正が行われたと判断してカウンターに通知することにより不正防止を行うことができるシステムとする。
【０００７】
【発明の実施の形態及び実施例】
本発明の実施の形態及び実施例を図を用いて説明する。まず、本発明のパチスロ用遊戯メダルの不正防止システムにおいては、各遊戯メダルに店舗固有のＩＤ情報を付与した不正検出手段を有した遊戯メダルを使用するものとする。図１は本発明のパチスロ用遊戯メダルの不正防止システムにおいて使用する不正検出手段を有した遊戯メダルの構成図である。
【０００８】
該図は不正検出手段として遊戯メダル１の本体板２の両面中央の凹部３に、会社番号，店舗番号及び付加情報を含んだ複数ビットから成るＩＤ情報を有した円形バーコードによるホログラム４を転写した遊戯メダルを示している。該ホログラム４の形状は円形とし、大きさや凹部３の深さは任意で構わなく、特に限定するものではない。
【０００９】
図２は円形バーコードによるホログラムの記録・検出用の円形バーコードスリットの原理図であり、フィルム６に細スリット８及び太スリット９を同心円状に複数本配列した円形バーコード７を形成し当該円形バーコード７の中心部にレーザー光５による参照光を透過させるための透過孔１０を形成する。該円形バーコード７は図中点線部の狭い範囲を見れば一般的な直線バーコード１１と等価であり、細スリット８や太スリット９の本数や間隔及び順序を変えて配列することにより複数ビットから成るＩＤ情報を記録することができる。なお、図２では分かりやすくするため円形バーコード７を黒の実線で示しているが、実際には当該実線部を透明とし他の部分を黒等でマスキングして形成する。また、レーザー光５は、該フィルム６の面に対し垂直方向から照射するものとする。
【００１０】
円形バーコードによるホログラムの記録原理として、フィルム６を透過したレーザー光５を円形バーコード７の情報を含んだ物体光として焦点に集光させ、更に参照光としてレーザー光５を焦点に直に入射させると、該物体光と参照光により焦点上に干渉縞が発生し、ホログラム４として記録されることになる。該原理を用いて円形バーコードによるホログラム４を遊戯メダル１の凹部３に転写する。
【００１１】
また、円形バーコードによるホログラムの検出原理として、同心円状に細スリット８及び太スリット９を複数本配列した円形バーコード７を形成したフィルム６にレーザー光５を照射すると、フィルム６を透過した円形バーコード７の情報を含んだ物体光が焦点上のホログラム４に集光して反射光が発生する。そして、該反射光を検出器に導入し相関出力即ちコリレーションピークの有無を検出する。ここで、コリレーションピークが検出されるとフィルム６のＩＤパターン情報と円形バーコードによるホログラム情報とが一致したことになりＩＤ情報を検出することができる。
【００１２】
ＩＤ情報として、会社番号を特定するために例えば１６ビットのＩＤ情報からは２１６≒６万５千余りのパチンコ遊戯会社のＩＤを識別でき、店舗番号を特定するために例えば８ビットのＩＤ情報からは２８＝２５６の店舗のＩＤを識別できる。また、パチンコ遊戯会社又は店舗独自の付加価値を有したボーナスメダル例えば当該ボーナスメダルを使用することによりスロットの絵柄が揃う確率が上昇したり、景品交換時における換金率が上昇するといった情報のためのビットも使用できる。なお、前記例で示したビットの数は任意で構わなく、特に限定するものではない。
【００１３】
次に、本発明のパチスロ用遊戯メダルの不正防止システムにより不正の常時監視を行う手段を説明する。図３は本発明のパチスロ用遊戯メダルの不正防止システムによりスロットゲームを行う場合の実施系統図であり、図４は本発明のパチスロ用遊戯メダルの不正防止システムによる遊戯メダルのＩＤ情報読み取り機構図である。
【００１４】
図３に示すように、店内にある多数のパチスロ５及びカウンターにあるメダル計数機１６はＬＡＮ１４経由で端末サーバ１５に接続され、更に端末サーバ１５はＬＡＮ１４経由で上位の管理サーバ（図示せず）に接続されている。また、図４に示すように、パチスロ１２のメダル投入口１３又はメダル計数機１６のメダル投入口（図示せず）に連通したメダル導入路１７の途中に検出器であるＩＤ読み取り装置１９を設置する。
【００１５】
ここで、スロットゲームを行う場合にはパチスロ１２のメダル投入口１３より遊戯メタル１を投入し、景品交換を行う場合にはメダル計数機１６のメダル投入口（図示せず）より遊戯メダル１を投入することで遊戯メダル１がメダル導入路１７を通過することになる。また、メダル導入路１７の途中には孔１８が配設され、該孔１８の外部にＩＤ読み取り装置１９が設置されているため、メダル導入路１７を遊戯メダル１が通過するごとに当該遊戯メダル１を検知手段にて検知したのち、孔１８を通してＩＤ読み取り装置１９によりＩＤ情報を読み取ることができる。
【００１６】
ＩＤ読み取り装置１９の読み取り動作として、遊戯メダル１が孔１８を通過するごとにＩＤ読み取り装置１９より読み取り用のレーザーパターンを発射すると、該レーザーパターンは焦点上のホログラム４に集光して反射光が発生する。そして、該反射光をＩＤ読み取り装置１９に入射させ複数のフィルムとのパターンマッチングを行うことにより読み取りが行われる。
【００１７】
そして、読み取ったＩＤ情報と端末サーバ１５により予め通知され登録されているＩＤ情報と比較検出を行い、当該パチスロ１２又はメダル計数機１６に未登録のＩＤ情報の遊戯メダル１が検出された場合には偽造メダル又は他店の遊戯メダル使用による不正が行われたと判断してカウンターに通知することにより不正防止を行うことができる。また、付加価値を有したボーナスメダルが検出された場合には付加情報に基づき例えばスロットの絵柄が揃う確率を上昇させたり、景品交換時における換金率を上昇させる処理を行う。
【００１８】
また、端末サーバ８にＣＤ−ＲやＤＶＤ−Ｒ等のＷＯＲＭ（追記）型記録媒体によりスロットゲーム中又はメダル計数中のＩＤ信号情報を逐次記録するようにしておけば、不正又はボーナスメダルの実施証拠として残るため後日のトラブル解決又は営業管理に役立つものである。
【００１９】
【発明の効果】
以上述べたように、本発明のパチスロ用遊戯メダルの不正防止システムによりスロットゲームを行うようにすれば、円形バーコードによるホログラムを転写した遊戯メダルからＩＤ読み取り装置によりＩＤ情報を常時読み取り監視することができ、該ＩＤ情報と端末サーバにより予め通知され登録されているＩＤ情報との比較を行うことにより、偽造メダル又は他店の遊戯メダルの検出が容易に行うことができる。このため、スロットゲーム中における偽造メダル又は他店の遊戯メダル使用を即時検出して不正防止を行うことができるという絶大なる効果を奏する。また、付加価値を有したボーナスメダルが検出された場合には付加情報に基づき例えばスロットの絵柄が揃う確率を上昇させたり、景品交換時における換金率を上昇させる処理が行えるため、新たなサービスによる集客増が望めるという更なる効果を奏する。
【図面の簡単な説明】
【図１】本発明のパチスロ用遊戯メダルの不正防止システムにおいて使用する不正検出手段を有した遊戯メダルの構成図である。
【図２】円形バーコードによるホログラムの記録・検出用の円形バーコードスリットの原理図である。
【図３】本発明のパチスロ用遊戯メダルの不正防止システムによりスロットゲームを行う場合の実施系統図である。
【図４】本発明のパチスロ用遊戯メダルの不正防止システムによる遊戯メダルのＩＤ情報読み取り機構図である。
【符号の説明】
１  遊戯メダル
２  本体板
３  凹部
４  ホログラム
５  レーザー光
６  フィルム
７  円形バーコード
８  細スリット
９  太スリット
１０  透過孔
１１  直線バーコード
１２  パチスロ
１３  メダル投入口
１４  ＬＡＮ
１５  端末サーバ
１６  メダル計数機
１７  メダル導入路
１８  孔
１９  ＩＤ読み取り装置
【図１】
2004222877.tif 000003
【図２】
2004222877.tif 000004
【図３】
2004222877.tif 000005
【図４】
2004222877.tif 000006